(57)【要約】 【課題】  高耐振性のコネクタを転用する場合にも部品点数の削減を可能とする。【解決手段】  コネクタ１０は互いに嵌合可能な雌雄の両コネクタＭ，Ｆを備え、このうち一方のコネクタＭは、周面に両コネクタＭ，Ｆの嵌合方向と交差する方向に突出する肉盛部１５を備えた雄コネクタＭとされる。他方のコネクタＦとして、両コネクタＭ，Ｆの嵌合時に肉盛部１５と干渉する突き当て部４４を備えた高耐振性の雌コネクタＨと、両コネクタＭ，Ｆの嵌合時に肉盛部１５を非干渉に通過させる逃がし部６０を有する標準の雌コネクタＳとが用意される。高耐振性の雌コネクタＨと標準の雌コネクタＳが雄コネクタＭの嵌合相手として使い分けられるようになっているから、部品点数を削減することができる。【選択図】  図７
2007059153.tif 000002
【特許請求の範囲】
【請求項１】
互いに嵌合可能な雌雄の両コネクタを備え、このうち一方のコネクタは、その壁面に前記両コネクタの嵌合方向と交差する方向に突出する肉盛部を備えた第一コネクタとされ、
他方のコネクタは、前記第一コネクタとの嵌合時に前記肉盛部と干渉して嵌合抵抗を発生させる突き当て部を備えた第二コネクタと、前記第一コネクタとの嵌合時に前記肉盛部を非干渉に通過させる逃がし部を備えた第三コネクタとが、選択的に使い分けられるようになっていることを特徴とするコネクタ。
【請求項２】
前記第二コネクタと前記第三コネクタとは、端子金具を収容するハウジング本体を備え、前記ハウジング本体の外周面には周方向に沿ってシールリングが装着され、
前記第三コネクタのハウジング本体に装着される前記シールリングは、前記両コネクタの嵌合方向と直交する方向に圧縮される部分のみを有し、
前記第二コネクタのハウジング本体に装着される前記シールリングは、前記両コネクタの嵌合方向と直交する方向に圧縮される部分と、前記両コネクタの嵌合方向に圧縮される部分とを含んでいることを特徴とする請求項１に記載のコネクタ。
【発明の詳細な説明】
【技術分野】
【０００１】
本発明は、コネクタに関する。
【背景技術】
【０００２】
従来より、例えば自動車のエンジンルーム内のように、振動の影響を強く受ける場所においては、高耐振性のコネクタが使用されている（例えば、特許文献１を参照）。この種のものは、両コネクタのいずれか一方のコネクタに肉盛部を備え、両コネクタの嵌合時には肉盛部が他方のコネクタに圧潰されることにより、両コネクタ間のがたつきを防止するようにしている。
【特許文献１】特開平９−１０２３５７号公報
【発明の開示】
【発明が解決しようとする課題】
【０００３】
ところで、一方のコネクタを振動の影響の少ない場所（高耐振性の要求されない場所）に転用しようとすると、その転用先の相手コネクタとの間に、肉盛部の圧潰に起因する大きな嵌合抵抗を発生させることとなり、作業性が悪いという問題がある。
【０００４】
従って、高耐振性の要求されない場所に使用されるコネクタについて作業性を向上させるには、嵌合抵抗が比較的低い、つまり肉盛部を備えないコネクタを用意する必要がある。その結果、肉盛部を備えたコネクタと備えていないコネクタとを用意する必要があって、部品点数の増加によりコスト高になる傾向があった。
【０００５】
本発明は上記のような事情に基づいて完成されたものであって、高耐振性のコネクタを高耐振性の要求されない場所に転用する場合にも、部品点数の削減を可能とすることを目的とする。
【課題を解決するための手段】
【０００６】
上記の目的を達成するための手段として、請求項１の発明は、互いに嵌合可能な雌雄の両コネクタを備え、このうち一方のコネクタは、その壁面に前記両コネクタの嵌合方向と交差する方向に突出する肉盛部を備えた第一コネクタとされ、他方のコネクタは、前記第一コネクタとの嵌合時に前記肉盛部と干渉して嵌合抵抗を発生させる突き当て部を備えた第二コネクタと、前記第一コネクタとの嵌合時に前記肉盛部を非干渉に通過させる逃がし部を備えた第三コネクタとが、選択的に使い分けられるような構成としたところに特徴を有する。
【０００７】
請求項２の発明は、請求項１に記載のものにおいて、前記第二コネクタと前記第三コネクタとは、端子金具を収容するハウジング本体を備え、前記ハウジング本体の外周面には周方向に沿ってシールリングが装着され、前記第三コネクタのハウジング本体に装着される前記シールリングは、前記両コネクタの嵌合方向と直交する方向に圧縮される部分のみを有し、前記第二コネクタのハウジング本体に装着される前記シールリングは、前記両コネクタの嵌合方向と直交する方向に圧縮される部分と、前記両コネクタの嵌合方向に圧縮される部分とを含んでいる構成としたところに特徴を有する。
【発明の効果】
【０００８】
＜請求項１の発明＞
請求項１に記載の発明によれば、第一コネクタと嵌合可能な他方のコネクタとして、第一コネクタの肉盛部と干渉する突き当て部を備えた第二コネクタと、第一コネクタの肉盛部を非干渉に通過させる逃がし部を備えた第三コネクタとが用意されている。したがって、高耐振性が要求される場合には肉盛部と突き当て部との干渉によるがたづめ機能を有する第二コネクタが選択され、高耐振性が要求されない場合には肉盛部を非干渉に通過させることで嵌合抵抗が小さい第三コネクタが選択される。これにより、第一コネクタを共用できるので、部品点数を削減できる。
【０００９】
＜請求項２の発明＞
請求項２に記載の発明によれば、ハウジング本体の外周面に周方向に沿ってシールリングが装着され、第三コネクタにおいては、シールリングが嵌合方向と直交する方向のみに圧縮されているから、両コネクタ間が嵌合方向と直交する方向にがたつくのを抑制できる。また、前記第二コネクタにおいては、シールリングが嵌合方向と直交する方向に圧縮にされる部分と嵌合方向に圧縮される部分とを含んでいるから、両コネクタ間が嵌合方向と直交する方向のみならず嵌合方向にがたつくのを抑制できる。その結果、第二コネクタにおいてはがたつきを確実に抑制することができる。
【発明を実施するための最良の形態】
【００１０】
＜実施形態１＞
本発明の実施形態１を図１ないし図１２によって説明する。
この実施形態は、防水コネクタ１０を例示するものであって、互いに嵌合可能な雄コネクタＭと雌コネクタＦとを備えて構成される。雄コネクタＭは二種類の雌コネクタＦによって共用され、高耐振性の要求の有無によって使い分けられる。なお、以下の説明においては、両コネクタＭ，Ｆにおける嵌合面側を前方とし、上下方向については図１及び図４を除いて各図を基準とする。
【００１１】
雄コネクタＭは、図３に示すように、合成樹脂製の雄ハウジング１１と、雄ハウジング１１内に挿入された雄端子金具２５とから構成されている。雄ハウジング１１の前側には、前方に開口する略角筒状をなすフード部１２が形成されており、このフード部１２には、雄端子金具２５を収容するための端子収容部１９が連成されている。端子収容部１９の後半部はフード部１２の奥壁から後方へ突出して配され、端子収容部１９の前半部はフード部１２内に突出して配されている。フード部１２内には雄端子金具２５が幅方向に並列した状態で突出して設けられている。
【００１２】
雄ハウジング１１の外周面にはフード部１２を取り囲むようにして突設部１７が外向きに張り出して設けられている。突設部１７はその前縁が雄ハウジング１１の前後方向の略中央に設定され、周方向の所定位置に隙間を有して配されている。突設部１７の下部には補機（図示せず）に直接取り付けられる取り付け部１８が設けられている。
【００１３】
フード部１２の上面における幅方向略中央には、雌コネクタＦのロックアーム３４(後述する）が係止可能とされるロック部１３が突出して設けられている。ロック部１３の前面は、ロックアーム３４が乗り上げるのを案内すべく後方へ向かって上り勾配をなすよう傾斜して形成されている。一方、ロックアーム３４との係止面となるロック部１３の後面は、上下方向に沿ってほぼ真っ直ぐ切り立って形成されている。
【００１４】
また、フード部１２の上面には、ロック部１３を挟んだ左右両側の位置において、フード部１２の前端から後端へ向けて延びるリブ状のガイド部１４Ａ，１４Ｂが左右対称に合計４つ形成されている。詳しくは、ガイド部１４Ａ，１４Ｂは、幅方向外側に位置する一対の第一ガイド部１４Ａと、幅方向内側に位置する一対の第二ガイド部１４Ｂとからなる。これらガイド部１４Ａ，１４Ｂの後端は突設部１７の前端に連なっている。
【００１５】
フード部１２の外周面には、同外周面に周方向に間隔をあけて、複数（本実施形態においては６つ）の肉盛部１５が突設されている。これら肉盛部１５は、その後端が突設部１７の前端１７Ａに連なっている。
【００１６】
肉盛部１５は、フード部１２の下面に左右両側に１つずつ、フード部１２の両側壁において上下方向のほぼ中央に１つずつ、第一ガイド部１４Ａの上面において幅方向の略中央に１つずつ、第一ガイド部１４Ａの長さ方向に沿って形成されている。これらの肉盛部１５の突出寸法は、フード部１２と雌ハウジング３１の外筒部３３（後述する）の間に寸法公差及び組付け公差を考慮して確保されるクリアランスよりも僅かに大きい寸法となっている。また、各肉盛部１５の突出端面はいずれも平坦面となっており、肉盛部１５の前面は、夫々、両ハウジング１１，３１の嵌合方向に対して傾斜した案内面１６となっている。
【００１７】
端子収容部１９は、略ブロック状に形成され、その内部に、後方から雄端子金具２５が挿入可能なキャビティ２０を有している。キャビティ２０の内壁上面には、雄端子金具２５に対して弾性的に係止可能なランス２１が設けられている。ランス２１は、前方へ突出する片持ち状をなし、上下方向に撓み変形可能とされている。
【００１８】
端子収容部１９には、前方からフロントリテーナ２２が装着可能とされている。フロントリテーナ２２は、各ランス２１の撓み変形を規制可能な撓み規制部２３を備えるとともに、撓み規制部２３がランス２１の撓み空間２４の前方に退避する仮係止位置（図示せず）と、撓み規制部２３が撓み空間２４内に進入してランス２１を撓み規制する本係止位置との二位置間を前後に移動可能とされている。
【００１９】
雄端子金具２５は、図３に示すように、前側から順に相手の雌端子金具４６と導通接続可能なタブ部２６と、その後方と連なって略箱型をなす本体部２７と、その後方に連なって電線Ｗの端末に圧着接続されるバレル部２８とからなる。バレル部２８は、前後に一対ずつのかしめ片２８Ａを対向状に備えており、このうち前側の両かしめ片２８Ａが電線Ｗの芯線に、後側の両かしめ片２８Ａが電線Ｗの被覆に嵌着されたシール栓２９にそれぞれかしめ付けられている。
【００２０】
次に雌コネクタＦについて説明する。本実施形態においては、高耐振性の要求される場所には高耐振性の雌コネクタＨ（以下、雌コネクタＨという）が使用され、高耐振性の要求されない場所には標準の雌コネクタＳ（以下、雌コネクタＳという）が使用される。両雌コネクタＨ，Ｓにはそれぞれ対応する第一シールリング５０Ｈ，第二シールリング５０Ｓが装着されている。
【００２１】
雌コネクタＨは、図６に示すように、合成樹脂製の雌ハウジング３１と、電線Ｗの端末に接続された雌端子金具４６とを備えている。
【００２２】
雌端子金具４６は、略箱型をなす本体部４７と、電線Ｗの端部に圧着接続されるバレル部２８とを前後に連ねた形態とされ、本体部４７の後端部に対してランス３７が係止可能とされている。本体部４７内には、前方から相手の雄端子金具２５が挿入可能とされるとともに、その雄端子金具２５と弾性接触可能な弾性接触片（図示せず）が設けられている。
【００２３】
雌ハウジング３１は、全体としてブロック状をなし、雌端子金具４６を収容可能なハウジング本体３２と、ハウジング本体３２の周囲を取り囲むフード状の外筒部３３とを備えている。
【００２４】
また、雌ハウジング３１には、その外周上面に沿って前後方向に延びるロックアーム３４が形成されている。ロックアーム３４は、その長さ方向中央において支持部３５を介してハウジング本体３２の上面に支持され、この支持部３５を支点として前傾姿勢と後傾姿勢とに弾性変形し得るようになっている。また、ロックアーム３４の前端部には、両ハウジング１１，３１が正規嵌合に至った状態において、フード部１２のロック部１３に係止されるロック孔３４Ａが形成されている。
【００２５】
ハウジング本体３２には、雄ハウジング１１の端子収容部１９と同様に、前方からフロントリテーナ４５が装着される。このフロントリテーナ４５は雄ハウジング１１に装着されるフロントリテーナ２２とほぼ同様の構成であり、説明は省略する。
【００２６】
また、ハウジング本体３２には、雌端子金具４６を後方から挿入するキャビティ３６が並列して形成されている。各キャビティ３６の上面壁には、前方へ片持ち状に延出する弾性撓み可能なランス３７が形成されている。ランス３７は前方へ突出する片持ち状をなし、上下方向に撓み変形可能とされている。
外筒部３３は、その後端部がハウジング本体３２の外周面に連結部３２Ａを介して連なっており、両ハウジング１１，３１が正規嵌合に至った状態では、この外筒部３３の内周面とハウジング本体３２の外周面との隙間にフード部１２が嵌入されるようになっている。
【００２７】
外筒部３３の上面壁における略中央部には、ロックアーム３４の収容空間３８が形成されている。収容空間３８は、外筒部３３の上面壁を切り欠くことで形成され、その切欠部分の左右両側縁から上方へ立ち上がる一対の保護壁３９と、この保護壁３９の立ち上がり端縁における前端部分を連結する連結壁４０とにより囲われ、かつ、ハウジング本体３２の外周面と外筒部３３の内周面によって形成されたフード部１２の進入空間に連通する形態で構成されている。
【００２８】
ロックアーム３４は左右の両保護壁３９の間に位置している。また、収容空間３８内における保護壁３９の内側面とロックアーム３４の外側面との間の空間には、雄ハウジング１１の第二ガイド部１４Ｂが、保護壁３９の内側面に沿いつつ進入するようになっている。
【００２９】
外筒部３３の内面には、複数（本実施形態においては６つ）の補助肉盛部４１が突設され、この補助肉盛部４１の後端が連結部３２Ａに連なっている。補助肉盛部４１は、いずれも両ハウジング１１，３１の嵌合過程において正規嵌合に至る直前に相手となる雄ハウジング１１のフード部１２の前端部と干渉し、正規嵌合に至る直前まで大きな嵌合抵抗が発生しないようになっている。
【００３０】
補助肉盛部４１は、外筒部３３の下壁に左右１つずつ、外筒部３３の上壁の上記収容空間３８よりも幅方向外側に左右１つずつ、外筒部３３の左右両側壁の高さ方向略中央に１つずつ設けられている。
【００３１】
また、外筒部３３の内面の前端から連結部３２Ａに至るまで、前後に延びるリブ状のガイド受け部４２が突出して形成されている。ガイド受け部４２は、嵌合途中において雄ハウジング１１を案内する役割を担っている。
【００３２】
ガイド受け部４２は、フード部１２の下面に設けられた肉盛部１５と対応して外筒部３３の下壁に左右１つずつ、フード部１２の両側壁に設けられた肉盛部１５と対応して外筒部３３の両側壁に１つずつ、第一ガイド部１４Ａの上面に設けられた肉盛部１５に対応して外筒部３３上壁の両側端に１つずつ設けられている。これらのガイド受け部４２の前端部は両ハウジング１１，３１の嵌合方向に対して傾斜したガイド面４３となっている。
【００３３】
外筒部３３上壁の両側端に設けられたガイド受け部４２（以下、上壁ガイド受け部４２Ａという）のうち肉盛部１５に圧潰される部分が、図８の（ａ）に示すように、本発明における突き当て部４４を構成する。雄ハウジング１１と雌ハウジング３１とが嵌合終盤位置に至ると、突き当て部４４のガイド面４３が肉盛部１５の案内面１６に案内されて、正規嵌合に至る直前に突き当て部４４が肉盛部１５の上に乗り上げられ、正規嵌合に至ると突き当て部４４が肉盛部１５によって圧潰されることで両ハウジング１１，３１間のがたつきを規制する。
【００３４】
ハウジング本体３２の外周面には、周方向に沿ってゴム製の第一シールリング５０Ｈが取り付けられている。第一シールリング５０Ｈは、フロントリテーナ４５と連結部３２Ａとの間に位置決めされている。第一シールリング５０Ｈの内外両周面には、それぞれリップ５２が膨出形成されており、内周面側のリップ５２がハウジング本体３２の外周面に、外周面側のリップ５２が雄ハウジング１１のフード部１２の内周面に、それぞれ圧縮されることで、両ハウジング１１，３１間のシールをとっている。
【００３５】
第一シールリング５０Ｈの後端部には、その外周面から径方向外方へ張り出す張出部５３が一体形成されている。張出部５３は、第一シールリング５０Ｈの外周面に周方向に間隔をあけて４つ設けられ、ハウジング本体３２に設けられた収容部４９に位置決め状態で嵌合可能とされる。この張出部５３は、両ハウジング１１，３１の嵌合時に雄ハウジング１１のフード部１２の前端面によって弾性的に圧縮される。
【００３６】
次に、もう一方の雌コネクタＳについて説明する。雌コネクタＳは、上壁ガイド受け部４２Ａの形態が相違し、第一シールリング５０Ｈの代わりに第二シールリング５０Ｓを備えている。その他は雌コネクタＨと共通しており、共通した部分の記載は省略する。
【００３７】
上壁ガイド受け部４２Ａの内面前端部には、雌コネクタＨの突き当て部４４に代わって、対応する雄ハウジング１１の肉盛部１５との干渉を避けるための逃がし部６０が設けられている。
逃がし部６０は、上壁ガイド受け部４２Ａの内面前端部を全幅に亘って切り欠くことで形成され、両ハウジング１１，３１の嵌合過程および嵌合終了時に、上壁ガイド受け部４２Ａに対応する肉盛部１５と外筒部３３の内面とが干渉しないようにしてある。
【００３８】
雌コネクタＳに装着される第二シールリング５０Ｓは、上記した第一シールリング５０Ｈと異なり、張出部５３を備えておらず、両ハウジング１１，３１の嵌合時とは嵌合方向と直交する方向に弾縮されるのみである。
【００３９】
本実施形態は以上のような構造であり、続いてその作用を説明する。まず、コネクタ１０が高耐振性の要求される場所に使用される場合には、雌コネクタＦとして高耐振性の雌コネクタＨが選択される。雄ハウジング１１のフード部１２を雌ハウジング３１のハウジング本体３２と外筒部３３との隙間に嵌入させる。すると、雌ハウジング３１の各ガイド受け部４２がフード部１２の外周面と摺動するとともに、第二ガイド部１４Ｂが保護壁３９とロックアーム３４との隙間に進入する。ガイド受け部４２とフード部１２の外周面との摺動領域以外の他の部分はフード部１２と外筒部３３との間にクリアランスがあいており挿入抵抗が低減されている。フード部１２がハウジング本体３２と外筒部３３との隙間に進入を開始した時点においては、補助肉盛部４１とフード部１２の外周面とは接触しない。
【００４０】
両ハウジング１１，３１の嵌合が進むと、ロックアーム３４の前端部がロック部１３に乗り上げられて弾性変形する。
この後、更に両ハウジング１１，３１の嵌合が正規嵌合の直前まで進むと、フード部１２の前端外周面と補助肉盛部４１とが当接するとともに、肉盛部１５の案内面１６とそれに対応するガイド受け部４２の前端とが当接する。
【００４１】
両ハウジング１１，３１が正規嵌合位置まで進むと、ロックアーム３４が弾性復帰してそのロック孔３４Ａをロック部１３に係止させ、この係止によって両ハウジング１１，３１が正規嵌合状態にロックされる。また、雄端子金具２５のタブ部２６が対応する雌端子金具４６内に進入し、弾性接触部（図示せず）と接触し、もって両端子が接続される。さらに、フード部１２の内周面と雌ハウジング３１の外周面との隙間が第一シールリング５０Ｈによって液密状にシールされる。
【００４２】
そして、両ハウジング１１，３１が正規嵌合されることにより、各ガイド受け部４２が対応する肉盛部１５によって圧潰されるとともに、各補助肉盛部４１が対応するフード部１２の外周面によって圧潰される。これらの圧潰によって、両ハウジング１１，３１間のがたつきが防止される。
【００４３】
また、第一シールリング５０Ｈは、内周面側のリップ５２がハウジング本体３２の外周面に密着され、外周面側のリップ５２がフード部１２の内周面に密着され、これにより両ハウジング１１，３１の嵌合方向と直交する方向のがたつきが主として防止される。そして、張出部５３がフード部１２の前端面によって弾性的に圧縮されることで、嵌合方向のがたつきが主として防止される。
【００４４】
コネクタ１０が高耐振性の要求されない場所に使用される場合には、雌コネクタＦとして、雌コネクタＳが選択される。この雌コネクタＳと雄コネクタＭとを嵌合させる場合にも、上壁ガイド受け部４２Ａを除く各ガイド受け部４２が対応する肉盛部１５によって圧潰されるとともに、各補助肉盛部４１が対応するフード部１２の外周面によって圧潰される。
【００４５】
一方、第一ガイド部１４Ａの上面に設けられた肉盛部１５は、両ハウジング１１，３１が正規嵌合に至る直前において、上壁ガイド受け部４２Ａと非干渉状態で対向し（図１２参照）、上壁ガイド受け部４２Ａに設けられた逃がし部６０内に進入する。そして、正規嵌合に至っても、この肉盛部１５は、外筒部３３の上壁の両側端とは非当接の状態を維持する。したがって、上壁ガイド受け部４２Ａに肉盛部１５を非干渉に通過させる逃がし部が６０が設けられている分だけ雌コネクタＨの場合よりも嵌合抵抗を低く抑えることができる。
【００４６】
一方、正規嵌合に至った時に、第二シールリング５０Ｓは、フード部１２の内周面によって弾性的に圧縮された状態となり、嵌合方向と直交する方向にがたつくのが防止される。
【００４７】
上述のように本実施形態においては、コネクタ１０が高耐振性の要求される場所に使用される場合には、雄コネクタＭの肉盛部１５と干渉してがたづめ機能を有する突き当て部４４を備える高耐振性の雌コネクタＨが選択される。一方、高耐振性が要求されない場所に使用される場合には、雄コネクタＭの肉盛部１５を非干渉に通過させる逃がし部６０を備えることで、嵌合抵抗を低く抑えることのできる標準の雌コネクタＳが選択される。したがって、肉盛部１５を備えた雄コネクタＭが高耐振性の雌コネクタＨと標準の雌コネクタＳとに共用され、部品点数の削減を図ることができる。
【００４８】
また、標準の雌コネクタＳは、嵌合方向に直交する方向に圧縮される部分のみを備えた第二シールリング５０Ｓを装着しているから、嵌合方向と直交する方向にがたつくのを防ぐことができる。さらに、高耐振性の雌コネクタＨは、嵌合方向に直交する方向と嵌合方向との双方に圧縮される部分を備えた第一シールリング５０Ｈを装着しているから、嵌合方向と嵌合方向に直交する方向の双方向にがたつくのを確実に防ぐことができる。
【００４９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５０】
（１）本発明によれば、突き当て部と逃がし部はそれぞれ肉盛部に対応する位置に設けられていればよく、その個数や設定位置は上記実施形態に限定されない。また、肉盛部の個数や設定位置についても上記実施形態に限定されない。
（２）本実施形態においては、雄コネクタに肉盛部を有する構成としたが、本発明によれば、雌コネクタに肉盛部を有する構成としてもよい。
（３）本発明は、シールリングのない非防水タイプのコネクタにも適用可能である。
（４）本発明によれば、突き当て部は外筒部の内面において突出することなく周囲とフラットに連なっていてもよい。要は、突き当て部は肉盛部と当接して圧潰する形態であればよい。
【図面の簡単な説明】
【００５１】
【図１】実施形態１の雄コネクタの平面図
【図２】その正面図
【図３】図２のＡ−Ａ断面図
【図４】雌コネクタの平面図
【図５】高耐振性の雌コネクタの正面図
【図６】図５のＢ−Ｂ断面図
【図７】嵌合状態にある高耐振性の雌コネクタと雄コネクタの断面図
【図８】嵌合終了前後における、高耐振性の雌コネクタの突き当て部と雄コネクタの肉盛部の拡大断面図
【図９】標準の雌コネクタの正面図
【図１０】図９のＣ−Ｃ断面図
【図１１】嵌合状態にある標準の雌コネクタと雄コネクタの断面図
【図１２】嵌合終了前後における、標準の雌コネクタの逃がし部と雄コネクタの肉盛部の拡大断面図
【符号の説明】
【００５２】
１０…コネクタ
１１…雄ハウジング
１２…フード部
１４Ａ…第一ガイド部
１５…肉盛部
３１…雌ハウジング
３２…ハウジング本体
３３…外筒部
４１…補助肉盛部
４２…ガイド受け部
４４…突き当て部
５０Ｈ…第一シールリング
５３…張出部
６０…逃がし部
Ｆ…雌コネクタ
Ｈ…高耐振性の雌コネクタ
Ｍ…雄コネクタ
Ｓ…標準の雌コネクタ
【図１】
2007059153.tif 000003
【図２】
2007059153.tif 000004
【図３】
2007059153.tif 000005
【図４】
2007059153.tif 000006
【図５】
2007059153.tif 000007
【図６】
2007059153.tif 000008
【図７】
2007059153.tif 000009
【図８】
2007059153.tif 000010
【図９】
2007059153.tif 000011
【図１０】
2007059153.tif 000012
【図１１】
2007059153.tif 000013
【図１２】
2007059153.tif 000014